(57)【要約】【課題】ヨーク又はヨークを組み込んだコイルボビンを組み込む際に、磁力によりマグネットがヨークに吸着されるのを防止して、組み込み作業の容易化を図る仕組みを提供する。【解決手段】磁気駆動装置は、マグネット３，５と、コイル１２，１３が巻回されたコイルボビン１１と、コイルボビン１１に支持されるヨーク本体７ｂ〜１０ｂ、及びヨーク本体７ｂ〜１０ｂに接続され、マグネット３，５に対向して配置される磁極部７ａ〜１０ａを有するヨーク７〜１０と、マグネット３，５のスラスト方向の位置を規制する押え板６と、マグネッ３，５、コイルボビン１１、及びヨーク７〜１０が組み込まれる支持地板１と、を備える。そして、押え板６は、支持地板１に組み込まれたマグネット３，５を保持した状態で支持地板１に係止部６ｃ，６ｄ，６ｅが係止される。【選択図】図１
2012133101.tif 000002
【特許請求の範囲】
【請求項１】
マグネットと、
コイルが巻回されたコイルボビンと、
前記コイルボビンに支持されるヨーク本体、及び前記ヨーク本体に接続され、前記マグネットに対向して配置される磁極部を有するヨークと、
前記マグネットのスラスト方向の位置を規制する規制部材と、
前記マグネット、前記コイルボビン、及び前記ヨークが組み込まれる支持部材と、を備え、
前記規制部材は、前記支持部材に組み込まれた前記マグネットを保持した状態で前記支持部材に係止されることを特徴とする磁気駆動装置。
【請求項２】
前記マグネットは、２つ配置され、
前記規制部材は、２つの前記マグネットをそれぞれ前記支持部材に保持する２つの保持部と、２つの前記保持部を連結する連結部と、を備え、
２つの前記保持部にそれぞれ設けた突起部と前記連結部とが前記支持部材に係止されることを特徴とする請求項１に記載の磁気駆動装置。
【発明の詳細な説明】
【技術分野】
【０００１】
本発明は、例えば、デジタルカメラ等の撮像装置のシャッタユニット等に用いられる磁気駆動装置に関する。
【背景技術】
【０００２】
従来、この種の磁気駆動装置に用いられるヨークとして、コイルボビンの貫通孔に挿入される直方体状のヨーク本体と、コイルボビンの貫通孔から軸方向に突出したヨーク本体の両端に固定される一対の磁極部材とを備えるものがある（特許文献１）。
【０００３】
一対の磁極部材とコイルボビンとの間には、ロータマグネットのスラスト方向の位置を規制するスラスト押えが一体に固定される。これにより、コイルボビンには、ヨーク及びスラスト押えが一体化に固定され、この状態でコイルボビンをロータマグネットを支持する下地板に組み込んで磁気駆動装置を構成している。
【先行技術文献】
【特許文献】
【０００４】
【特許文献１】特開２０１０−９７１４１号公報
【発明の概要】
【発明が解決しようとする課題】
【０００５】
しかし、上記特許文献１では、コイルボビンをロータマグネットを支持する下地板に組み込む際、磁力によりロータマグネットが一対の磁極部材に吸着されて下地板から抜けてしまい、コイルボビンを下地板に組み込む際の作業性が悪くなるおそれがある。
【０００６】
この場合、ロータマグネットを下地板に接着剤等で固定して、ロータマグネットの抜けを防止することが考えられるが、このようにすると、ロータマグネットの交換が困難になる。
【０００７】
そこで、本発明は、ヨーク又はヨークを組み込んだコイルボビンを組み込む際に、磁力によりマグネットがヨークに吸着されるのを防止して、組み込み作業の容易化を図る仕組みを提供することを目的とする。
【課題を解決するための手段】
【０００８】
上記目的を達成するために、本発明の磁気駆動装置は、マグネットと、コイルが巻回されたコイルボビンと、前記コイルボビンに支持されるヨーク本体、及び前記ヨーク本体に接続され、前記マグネットに対向して配置される磁極部を有するヨークと、前記マグネットのスラスト方向の位置を規制する規制部材と、前記マグネット、前記コイルボビン、及び前記ヨークが組み込まれる支持部材と、を備え、前記規制部材は、前記支持部材に組み込まれた前記マグネットを保持した状態で前記支持部材に係止されることを特徴とする。
【発明の効果】
【０００９】
本発明によれば、ヨーク又はヨークを組み込んだコイルボビンを組み込む際に、磁力によりマグネットがヨークに吸着されるのを防止することができるので、組み込み作業の容易化を図ることができる。また、マグネットを支持部材に接着剤等で固定する必要がなくなるため、マグネットの交換が容易となる。
【図面の簡単な説明】
【００１０】
【図１】本発明の実施形態の一例である磁気駆動装置の分解斜視図である。
【図２】押え板とヨークとの関係を示す図である。
【図３】コイルボビンにヨークを組み込む前の状態を示す斜視図である。
【図４】コイルボビンにヨークを組み込んだ後の状態を示す要部断面図である。
【図５】押え板を支持地板に組み込んだ状態を示す図である。
【図６】図５のＤ−Ｄ線断面図である。
【図７】図５のＣ−Ｃ線断面図である。
【図８】図５のＥ−Ｅ線断面図である。
【図９】コイルボビンを支持地板に組み込む前の状態を示す要部断面図である。
【図１０】コイルボビンを支持地板に組み込んだ後の状態を示す要部断面図である。
【図１１】コイルボビンを支持地板に組み込んだ状態でのマグネットとヨークとの関係を示す図である。
【図１２】磁気駆動装置を用いたデジタルカメラ等のシャッタユニットを説明するための分解斜視図である。
【発明を実施するための形態】
【００１１】
以下、本発明の実施形態の一例を図面を参照して説明する。
【００１２】
図１は本発明の実施形態の一例である磁気駆動装置の分解斜視図、図２は押え板とヨークとの関係を示す図である。
【００１３】
図１に示すように、本実施形態の磁気駆動装置は、支持地板１、押え板６、ヨーク７〜１０、及びコイルボビン１１を備える。ここで、支持地板１は、本発明の支持部材の一例に相当し、押え板６は、本発明の規制部材の一例に相当する。
【００１４】
支持地板１は、中央部に開口部１ａが形成され、開口部１ａの周囲には、支持軸１ｂ，１ｃが突設されている。支持軸１ｂには、第１の駆動レバー２に形成された貫通孔２ａが回転可能に嵌合され、支持軸１ｃには、第２の駆動レバー４に形成された貫通孔４ａが回転可能に嵌合されている。これにより、支持地板１に対して、第１の駆動レバー２、及び第２の駆動レバー４が回転動作が可能に支持される。
【００１５】
また、第１の駆動レバー２の貫通孔２ａの外周側には、円周方向に２極に着磁されたマグネット３が一体に固定され、第２の駆動レバー４の貫通孔４ａの外周側には、円周方向に２極に着磁されたマグネット５が一体に固定されている。
【００１６】
押え板６は、マグネット３が固定された第１の駆動レバー２、及びマグネット５が固定された第２の駆動レバー４のスラスト方向（回転軸方向）の位置を規制して、コイルボビン１１との接触を防止する。
【００１７】
具体的に説明すると、押え板６には、マグネット３が固定された第１の駆動レバー２を支持地板１に保持する保持部６ａと、マグネット５が固定された第２の駆動レバー４を支持地板１に保持する保持部６ｂとが形成されている。また、保持部６ａ，６ｂの外径は、図４に示すように、ヨーク７〜１０の磁極部７ａ〜１０ａの内径より小径とされている。
【００１８】
保持部６ａの外周部には、径方向外方に延びる突起部６ｄ，６ｆが円周方向に互いに略１８０°離間して設けられている。
【００１９】
図４に示すように、突起部６ｄは、ヨーク７の磁極部７ａの周方向端部７ｃとヨーク８の磁極部８ａの周方向端部８ｃとの間に配置され、突起部６ｆは、ヨーク７の磁極部の周方向端部７ｄとヨーク８の周方向端部８ｄとの間に配置される。
【００２０】
また、保持部６ｂの外周部には、径方向外方に延びる突起部６ｅ，６ｇが円周方向に互いに略１８０°離間して設けられている。
【００２１】
図４に示すように、突起部６ｅは、ヨーク９の磁極部９ａの周方向端部９ｃとヨーク１０の磁極部１０ａの周方向端部１０ｃの間に配置される。また、突起部６ｇは、ヨーク９の磁極部９ａの周方向端部９ｄとヨーク１０の磁極部１０ａの周方向端部１０ｄとの間に配置される。
【００２２】
また、突起部６ｆと突起部６ｇとは、連結部６ｃにより連結されており、これにより、保持部６ａと保持部６ｂが一体化されている。
【００２３】
ヨーク７〜１０は、一対のヨーク７，８、及び一対のヨーク９，１０で構成される。一対のヨーク７，８は、それぞれヨーク本体７ｂ，８ｂと、ヨーク本体７ｂ，８ｂに接続される円弧状の磁極部７ａ，８ａとを備える。
【００２４】
ヨーク本体７ｂ，８ｂは、それぞれマグネット３の径方向に延びた後、マグネット３の回転軸方向に延びて、延出端が磁極部７ａ，８ａの周方向の中央部に接続される。そして、磁極部７ａ，８ａは、マグネット３の外周部に対して周方向に互いに略１８０°離間してマグネット３の径方向に対向配置される。
【００２５】
また、ヨーク本体８ｂは、ヨーク本体７ｂよりマグネット３から離間した位置で、ヨーク本体７ｂに対してマグネット３の回転軸方向に重なるように配置される。
【００２６】
また、一対のヨーク９，１０も、それぞれヨーク本体９ｂ，１０ｂと、ヨーク本体９ｂ，１０ｂに接続される円弧状の磁極部９ａ，１０ａとを備える。
【００２７】
ヨーク本体９ｂ，１０ｂは、それぞれマグネット５の径方向に延びた後、マグネット５の回転軸方向に延びて、延出端が磁極部９ａ，１０ａの周方向の中央部に接続される。そして、磁極部９ａ，１０ａは、マグネット５の外周部に対して周方向に互いに略１８０°離間してマグネット５の径方向に対向配置される。
【００２８】
また、ヨーク本体９ｂは、ヨーク本体１０ｂよりマグネット５から離間した位置で、ヨーク本体１０ｂに対してマグネット５の回転軸方向に重なるように配置される。
【００２９】
コイルボビン１１には、コイル１２，１３が巻回されている。また、コイルボビン１１には、矩形状の貫通孔１１ａ，１１ｂ（図３参照）が形成されている。
【００３０】
貫通孔１１ａには、ヨーク７，８のヨーク本体７ｂ，８ｂが挿入され、貫通孔１１ｂには、ヨーク９，１０のヨーク本体９ｂ，１０ｂが挿入される。これにより、コイルボビン１１にヨーク７〜１０が支持される。そして、コイルボビン１１は、フック１１ｅ，１１ｆと固定爪１１ｇを介して支持地板１に固定される。
【００３１】
次に、図３及び図４を参照して、コイルボビン１１にヨーク７〜１０を組み込む方法について説明する。
【００３２】
図３はコイルボビン１１にヨーク７〜１０を組み込む前の状態を示す斜視図、図４はコイルボビン１１にヨーク７〜１０を組み込んだ後の状態を示す要部断面図である。
【００３３】
図３に示すように、コイルボビン１１の貫通孔１１ａの両側の開口から、それぞれヨーク７，８のヨーク本体７ｂ，８ｂを貫通孔１１ａ内に挿入する。
【００３４】
かかる挿入状態においては、ヨーク本体７ｂ，８ｂは、図４に示すように、貫通孔１１ａ内で平面同士が接するようにマグネット３の回転軸方向に重なって配置される。
【００３５】
また、貫通孔１１ａの内周面には、レール１１ｃが形成されており、ヨーク７，８のヨーク本体７ｂ，８ｂが貫通孔１１ａに軽圧入状態で挿入される。これにより、電気回路の磁束密度の低下が防止されると共に、コイルボビン１１からのヨーク本体７ｂ，８ｂの抜け止めがなされる。
【００３６】
同様に、コイルボビン１１の貫通孔１１ｂの両側の開口から、それぞれヨーク９，１０のヨーク本体９ｂ，１０ｂを貫通孔１１ｂ内に挿入する。
【００３７】
かかる挿入状態においては、ヨーク本体９ｂ，１０ｂは、図４に示すように、貫通孔１１ｂ内で平面同士が接するようにマグネット５の回転軸方向に重なって配置される。
【００３８】
また、貫通孔１１ｂの内周面には、レール１１ｄが形成されており、ヨーク９，１０のヨーク本体９ｂ，１０ｂが貫通孔１１ｂに軽圧入状態で挿入される。これにより、電気回路の磁束密度の低下が防止されると共に、コイルボビン１１からのヨーク本体９ｂ，１０ｂの抜け止めがなされる。
【００３９】
次に、図５〜図８を参照して、押え板６を支持地板１に組み込む方法について説明する。
【００４０】
図５は押え板６を支持地板１に組み込んだ状態を示す図、図６は図５のＤ−Ｄ線断面図、図７は図５のＣ−Ｃ線断面図、図８は図５のＥ−Ｅ線断面図である。
【００４１】
図５〜図７に示すように、第１の駆動レバー２の貫通孔２ａを支持地板１の支持軸１ｂに嵌合すると共に、第２の駆動レバー４の貫通孔４ａを支持地板１の支持軸１ｃに嵌合した後、押え板６を支持地板１に組み込む。
【００４２】
具体的には、図７に示すように、押え板６の突起部６ｄを支持地板１の固定爪１ｄに係止し、図６に示すように、押え板６の突起部６ｅを支持地板１の固定爪１ｅに係止し、図８に示すように、押え板６の連結部６ｃを支持地板１の固定爪１ｆに係止する。これにより、押え板６が支持地板１に組み込まれる。
【００４３】
次に、図９及び図１０を参照して、ヨーク７〜１０が組み込まれた状態のコイルボビン１１を、押え板６が組み込まれた状態の支持地板１に組み込む方法について説明する。
【００４４】
図９はコイルボビン１１を支持地板１に組み込む前の状態を示す要部断面図、図１０はコイルボビン１１を支持地板１に組み込んだ後の状態を示す要部断面図である。
【００４５】
上述したように、ヨーク７〜１０が組み込まれたコイルボビン１１は、フック１１ｅ，１１ｆと固定爪１１ｇを介して支持地板１に組み込まれるが、その際、図９に示すように、ヨーク７，８の磁極部７ａ，８ａが第１の駆動レバー２のマグネット３に近接する。
【００４６】
このとき、磁力により第１の駆動レバー２は、ヨーク７，８に吸着されて、支持地板１の支持軸１ｂから抜けようとするが、図６〜図８に示すように、支持地板１に固定された押え板６の保持部６ａにより抜けが防止される。
【００４７】
また、同様に、ヨーク９，１０の磁極部９ａ，１０ａについても、コイルボビン１１を支持地板１に組み込む際に、第２の駆動レバー４のマグネット５に近接する。
【００４８】
このとき、磁力により第２の駆動レバー４は、ヨーク９，１０に吸着されて支持地板１の支持軸１ｃから抜けようとするが、図６〜図８に示すように、支持地板１に固定された押え板６の保持部６ｂにより抜けが防止される。
【００４９】
即ち、図１０に示すように、第１の駆動レバー２と第２の駆動レバー４とが支持地板１に支持された状態で、コイルボビン１１を支持地板１に容易に組み込むことができる。
【００５０】
次に、図１１を参照して、マグネット３に対するヨーク７，８の位置規制、及びマグネット５に対するヨーク９，１０の位置規制について説明する。
【００５１】
図１１は、コイルボビン１１を支持地板１に組み込んだ状態でのマグネット３，５とヨーク７〜１０との関係を示す図である。
【００５２】
図１１に示すように、ヨーク７は、磁極部７ａの周方向端部７ｃ，７ｄがそれぞれ支持地板１に形成されたＬ字形状の壁部１ｇ，１ｈに当接し、磁極部７ａの外周部が支持地板１に形成された突起部１ｉに当接する。これにより、マグネット３に対してヨーク７の磁極部７ａの周方向の位置が決まると共に、マグネット３と磁極部７ａとの径方向の隙間が一定になり、磁気駆動装置の駆動特性が安定する。
【００５３】
また、ヨーク８は、磁極部８ａの周方向端部８ｃ，８ｄが支持地板１に形成されたＬ字形状の壁部１ｋ，１ｍに当接し、磁極部８ａの外周部が支持地板１に形成された突起部１ｎ，１ｏに当接する。これにより、マグネット３に対してヨーク８の磁極部８ａの周方向の位置が決まると共に、マグネット３と磁極部８ａとの径方向の隙間が一定になり、磁気駆動装置の駆動特性が安定する。
【００５４】
同様に、ヨーク９は、磁極部９ａの周方向端部９ｃ，９ｄがそれぞれ支持地板１に形成されたＬ字形状の壁部１ｐ，１ｑに当接し、磁極部９ａの外周部が支持地板１に形成された突起部１ｒに当接する。これにより、マグネット５に対してヨーク９の磁極部９ａの周方向の位置が決まると共に、マグネット５と磁極部９ａとの径方向の隙間が一定になり、磁気駆動装置の駆動特性が安定する。
【００５５】
また、ヨーク１０は、磁極部１０ａの周方向端部１０ｃ，１０ｄが支持地板１に形成されたＬ字形状の壁部１ｓ，１ｔに当接し、磁極部１０ａの外周部が支持地板１に形成された突起部１ｕ，１ｗに当接する。これにより、マグネット５に対してヨーク１０の磁極部１０ａの周方向の位置が決まると共に、マグネット５と磁極部１０ａとの径方向の隙間が一定になり、磁気駆動装置の駆動特性が安定する。
【００５６】
次に、図１２を参照して、本実施形態の磁気駆動装置を用いたデジタルカメラ等のシャッタユニットについて説明する。
【００５７】
図１２に示すように、シャッタ羽根１４には、貫通孔１４ａ及び貫通長孔１４ｂが形成され、シャッタ羽根１５には、貫通孔１５ａ及び貫通長孔１５ｂが形成されている。
【００５８】
シャッタ羽根１４の貫通孔１４ａは、支持地板１に形成された支持軸１ｖに回転可能に嵌合支持され、貫通長孔１４ｂは、第１の駆動レバー２に形成された駆動軸２ｃに嵌合される。
【００５９】
また、シャッタ羽根１５の貫通孔１５ａは、支持地板１に形成された支持軸１ｘに回転可能に嵌合支持され、貫通長孔１５ｂは、第１の駆動レバー２に形成された駆動軸２ｃに嵌合される。
【００６０】
そして、シャッタ羽根１４，１５は、第１の駆動レバー２が回転することで、支持地板１の開口部１ａを開閉する。また、仕切り板１６は、中央部に開口部１６ａが形成され、支持地板１に保持されることで、シャッタ羽根１４，１５の走行スペースを確保する。
【００６１】
絞り羽根１７には、貫通孔１７ａ及び貫通長孔１７ｂが形成されている。絞り羽根１７の貫通孔１７ａは、支持地板１に形成された支持軸１ｙに回転可能に嵌合支持され、貫通長孔１７ｂは、第２の駆動レバー４に形成された駆動軸４ｃに嵌合される。また、絞り羽根１７には、ＮＤフィルタ１８が接着等により固定される。
【００６２】
そして、絞り羽根１７は、第２の駆動レバー４が回転することで、支持地板１の開口部１ａに進入及び退避する。羽根押え１９は、中央部に開口部１９ａが形成され、固定爪１９ｂ，１９ｃ，１９ｄを介して支持地板１に固定される。
【００６３】
以上説明したように、本実施形態では、マグネット３，５のスラスト方向の位置を規制する押え板６の保持部６ａ，６ｂの外周部に設けた突起部６ｄ，６ｅと保持部６ａ，６ｂを連結する連結部６ｃとを支持地板１に係止して固定している。
【００６４】
これにより、ヨーク７〜１０を組み込んだコイルボビン１１を支持地板１に組み込む際に、磁力によりマグネット３，５がヨーク７〜１０の磁極部７ａ〜１０ａに吸着されるのを防止することができ、組み込み作業の容易化を図ることができる。
【００６５】
また、本実施形態では、マグネット３，５を支持地板１に接着剤等で固定する必要がなくなるため、マグネット３，５の交換が容易となる。
【００６６】
なお、本発明の構成は、上記実施形態に例示したものに限定されるものではなく、材質、形状、寸法、形態、数、配置箇所等は、本発明の要旨を逸脱しない範囲において適宜変更可能である。
【００６７】
例えば、上記実施形態では、ヨーク７〜１０を組み込んだコイルボビン１１を支持地板１に組み込む場合を例示したが、これに限定されない。例えば、ヨークとコイルボビンとの支持構造によっては、ヨークを支持地板に組み込んだ後、ヨークにコイルボビンを組み込むようにしてもよい。
【符号の説明】
【００６８】
１  支持地板
３，５  マグネット
６  押え板
６ａ，６ｂ  保持部
６ｃ  連結部
６ｄ〜６ｇ  突起部
７〜１０  ヨーク
７ａ〜１０ａ  磁極部
１１  コイルボビン
１１ａ，１１ｂ  貫通孔
【図１】
2012133101.tif 000003
【図２】
2012133101.tif 000004
【図３】
2012133101.tif 000005
【図４】
2012133101.tif 000006
【図５】
2012133101.tif 000007
【図６】
2012133101.tif 000008
【図７】
2012133101.tif 000009
【図８】
2012133101.tif 000010
【図９】
2012133101.tif 000011
【図１０】
2012133101.tif 000012
【図１１】
2012133101.tif 000013
【図１２】
2012133101.tif 000014